(57)【要約】【課題】  テレビ電話において、既存の発信処理の信号シーケンスを有効に活用し、発信側及び着信側の条件に応じた柔軟な広告情報の配信を実現する。【解決手段】  着信電話の電話番号と発信電話の識別情報を含む通話要求を発信交換機に送信する発信電話と、識別情報にもとづき加入者情報記憶手段を検索して広告契約情報を取得し、これにもとづき広告情報記憶手段から広告情報を抽出し、通話要求を着信交換機に送信し、着信交換機から呼び出し開始信号を受信すると広告情報を呼び出し開始信号に含め発信電話に送信する発信交換機と、通話要求を受信し、電話番号にもとづき加入者情報記憶手段を検索して広告契約情報を取得し、これにもとづき広告情報記憶手段から対応する広告情報を抽出し、これを通話要求に含めて着信電話に送信する着信交換機と、通話要求を受信すると、呼び出し開始情報を発信交換機に送信する着信電話を有するシステム。【選択図】      図１
2009212558.tif 000002
【特許請求の範囲】
【請求項１】
テレビ電話機能を備えた電話機に広告情報を配信するテレビ電話広告システムであって、
加入者識別情報及び広告契約情報を含む加入者情報を格納する加入者情報記憶手段と、
広告情報を格納する広告情報記憶手段と、
着信側電話機の電話番号と発信側電話機の加入者識別情報を含む通話確立要求信号を発信側交換機に送信する発信側電話機と、
前記発信側電話機の加入者識別情報にもとづき前記加入者情報記憶手段を検索して、対応する広告契約情報を取得し、この広告契約情報にもとづき前記広告情報記憶手段から対応する広告情報を抽出し、前記着信側電話機の電話番号を含む通話確立要求信号を着信側交換機に送信するとともに、前記着信側交換機から呼び出し開始信号を受信すると、前記抽出した広告情報を前記呼び出し開始信号に含めて前記発信側電話機に送信する発信側交換機と、
前記通話確立要求信号を受信すると、前記着信側電話機の電話番号にもとづき前記加入者情報記憶手段を検索して、対応する広告契約情報を取得し、この広告契約情報にもとづき広告情報記憶手段から対応する広告情報を抽出して、この広告情報を通話確立要求信号に含めて着信側電話機に送信する着信側交換機と、
前記広告情報を含む通話確立要求信号を受信すると、前記呼び出し開始情報を前記着信側交換機を介して前記発信側交換機に送信する着信側電話機と、を有する
ことを特徴とするテレビ電話広告システム。
【請求項２】
前記着信側電話機から通話開始信号が前記着信側交換機及び前記発信側交換機を介して前記発信側電話機に送信され、前記発信側電話機から通話開始信号に対する応答信号が前記発信側交換機及び前記着信側交換機を介して前記着信側電話機に送信されて、前記発信側電話機と前記着信側電話機との通話が確立したタイミングで、
前記着信側電話機が、前記着信側交換機から受信した前記通話確立要求信号に含まれる広告情報を出力し、
前記発信側電話機が、前記発信側交換機から受信した前記呼び出し開始信号に含まれる広告情報を出力する
ことを特徴とする請求項１記載のテレビ電話広告システム。
【請求項３】
前記着信側電話機が、前記着信側交換機から前記通話確立要求信号を受信したタイミングで、当該通話確立要求信号に含まれる広告情報を出力し、
前記発信側電話機が、前記発信側交換機から前記呼び出し開始信号を受信したタイミングで、当該呼び出し開始信号に含まれる広告情報を出力する
ことを特徴とする請求項１記載のテレビ電話広告システム。
【請求項４】
前記着信側交換機が、前記発信側交換機から前記着信側電話機の電話番号と発信側電話機の加入者識別情報を含む通話確立要求信号を受信し、前記着信側電話機の電話番号に代えて、前記発信側電話機の加入者識別情報にもとづき前記加入者情報記憶手段を検索して、対応する広告契約情報を取得し、この広告契約情報にもとづき前記広告情報記憶手段から対応する広告情報を抽出して、この広告情報を通話確立要求信号に含めて着信側電話機に送信する
ことを特徴とする請求項１〜３のいずれかに記載のテレビ電話広告システム。
【請求項５】
前記発信側交換機が、前記発信側電話機の位置情報を取得して、この位置情報と、前記加入者情報記憶手段から取得した前記広告契約情報にもとづき前記広告情報記憶手段から対応する広告情報を抽出し、及び／又は、前記着信側交換機が、前記着信側電話機の位置情報を取得して、この位置情報と、前記加入者情報記憶手段から取得した前記広告契約情報にもとづき前記広告情報記憶手段から対応する広告情報を抽出する
ことを特徴とする請求項１〜４のいずれかに記載のテレビ電話広告システム。
【請求項６】
前記発信側電話機がＧＰＳ機能を備え、通話確立要求信号に当該発信側電話機の位置情報を含めて前記発信側交換機に送信し、
前記発信側交換機が、送信されてきた前記位置情報と、前記加入者情報記憶手段から取得した前記広告契約情報にもとづき前記広告情報記憶手段から対応する広告情報を抽出する
ことを特徴とする請求項１〜４のいずれかに記載のテレビ電話広告システム。
【請求項７】
前記発信側交換機が、前記発信側電話機及び前記着信側電話機の通話時間、又は前記発信側電話機に広告情報を送信した時刻から通話が終了した時刻までの時間を広告再生時間として前記加入者情報記憶手段に登録する
ことを特徴とする請求項１〜６のいずれかに記載のテレビ電話広告システム。
【請求項８】
前記発信側交換機及び前記着信側交換機による前記広告情報記憶手段からの広告情報の抽出が、一の広告制御手段により行われる
ことを特徴とする請求項１〜７のいずれかに記載のテレビ電話広告システム。
【請求項９】
前記広告制御手段が、前記広告情報の抽出にあたり、前記広告契約情報に含まれる広告契約形態が企業指定を示す場合は、前記広告契約情報に含まれる広告提供企業を選択し、前記広告契約情報に含まれる広告契約形態が条件指定又は指定なしを示す場合は、前記広告情報記憶手段に登録されている候補企業の中からランダムに一の企業を選択し、この選択された企業に対応する広告情報のリストを前記広告情報記憶手段から取得し、最も優先順位が高い広告情報から順に配信条件が含まれるか否かを確認し、含まれる場合には、前記加入者情報が配信条件を満たすか否かを判定し、配信条件のない広告情報又は配信条件を満たす広告情報が検出された場合に、当該広告情報を抽出対象として決定する
ことを特徴とする請求項８記載のテレビ電話広告システム。
【請求項１０】
前記着信側交換機が、前記発信側交換機から前記着信側電話機の電話番号を含む通話確立要求信号を受信したときに、前記着信側電話機の電話番号にもとづき前記加入者情報記憶手段を検索して、対応する広告契約情報に着信時の広告表示拒否情報が登録されているかどうかを判定し、登録されている場合は、前記広告情報記憶手段から対応する広告情報を抽出することなく、広告情報を含まない通話確立要求信号を着信側電話機に送信する
ことを特徴とする請求項１〜９のいずれかに記載のテレビ電話広告システム。
【請求項１１】
前記広告情報が文字広告情報であることを特徴とする請求項１〜１０のいずれかに記載のテレビ電話広告システム。
【請求項１２】
テレビ電話機能を備えた電話機に広告情報を配信するテレビ電話広告方法であって、
発信側電話機が、着信側電話機の電話番号と発信側電話機の加入者識別情報を含む通話確立要求信号を発信側交換機に送信し、
前記発信側交換機が、前記発信側電話機の加入者識別情報にもとづき加入者情報記憶手段を検索して、対応する広告契約情報を取得し、この広告契約情報にもとづき広告情報記憶手段から対応する広告情報を抽出し、前記着信側電話機の電話番号を含む通話確立要求信号を着信側交換機に送信し、
前記着信側交換機が、前記通話確立要求信号を受信すると、前記着信側電話機の電話番号にもとづき前記加入者情報記憶手段を検索して、対応する広告契約情報を取得し、この広告契約情報にもとづき広告情報記憶手段から対応する広告情報を抽出して、この広告情報を前記通話確立要求信号に含めて着信側電話機に送信し、
前記着信側電話機が、前記通話確立要求信号を受信すると、前記呼び出し開始情報を、前記着信側交換機を介して前記発信側交換機に送信し、
前記発信側交換機が、前記呼び出し開始信号を受信すると、抽出した前記広告情報を前記呼び出し開始信号に含めて前記発信側電話機に送信する
ことを特徴とするテレビ電話広告方法。
【請求項１３】
前記着信側電話機から通話開始信号が前記着信側交換機及び前記発信側交換機を介して前記発信側電話機に送信され、前記発信側電話機から通話開始信号に対する応答信号が前記発信側交換機及び前記着信側交換機を介して前記着信側電話機に送信されて、前記発信側電話機と前記着信側電話機との通話が確立したタイミングで、
前記着信側電話機が、前記着信側交換機から受信した前記通話確立要求信号に含まれる広告情報を出力し、
前記発信側電話機が、前記発信側交換機から受信した前記呼び出し開始信号に含まれる広告情報を出力する
ことを特徴とする請求項１２記載のテレビ電話広告方法。
【請求項１４】
前記着信側電話機が、前記着信側交換機から前記通話確立要求信号を受信したタイミングで、当該通話確立要求信号に含まれる広告情報を出力し、
前記発信側電話機が、前記発信側交換機から前記呼び出し開始信号を受信したタイミングで、当該呼び出し開始信号に含まれる広告情報を出力する
ことを特徴とする請求項１２記載のテレビ電話広告方法。
【請求項１５】
テレビ電話機能を備えた電話機に広告情報を配信するテレビ電話広告システムにおける発信側交換機であって、
発信側電話機から着信側電話機の電話番号と発信側電話機の加入者識別情報を含む通話確立要求信号を受信し、この加入者識別情報にもとづき加入者情報記憶手段を検索して、対応する広告契約情報を取得し、この広告契約情報にもとづき広告情報記憶手段から対応する広告情報を抽出し、前記着信側電話機の電話番号を含む通話確立要求信号を着信側交換機に送信するとともに、前記着信側交換機から呼び出し開始信号を受信すると、前記抽出した広告情報を前記呼び出し開始信号に含めて前記発信側電話機に送信する
ことを特徴とする発信側交換機。
【請求項１６】
前記発信側電話機の位置情報を取得して、この位置情報と、前記加入者情報記憶手段から取得した前記広告契約情報にもとづき前記広告情報記憶手段から対応する広告情報を抽出する
ことを特徴とする請求項１５記載の発信側交換機。
【請求項１７】
テレビ電話機能を備えた電話機に広告情報を配信するテレビ電話広告システムにおける着信側交換機であって、
着信側電話機の電話番号を含む通話確立要求信号を発信側電話機から発信側交換機を介して受信すると、前記着信側電話機の電話番号にもとづき加入者情報記憶手段を検索して、対応する広告契約情報を取得し、この広告契約情報にもとづき広告情報記憶手段から対応する広告情報を抽出して、この広告情報を前記通話確立要求信号に含めて着信側電話機に送信する
ことを特徴とする着信側交換機。
【請求項１８】
前記発信側交換機から前記着信側電話機の電話番号と発信側電話機の加入者識別情報を含む通話確立要求信号を受信すると、前記着信側電話機の電話番号に代えて、前記発信側電話機の加入者識別情報にもとづき前記加入者情報記憶手段を検索して、対応する広告契約情報を取得し、この広告契約情報にもとづき広告情報記憶手段から対応する広告情報を抽出して、この広告情報を通話確立要求信号に含めて着信側電話機に送信する
ことを特徴とする請求項１７記載の着信側交換機。
【請求項１９】
前記着信側電話機の位置情報を取得して、この位置情報と、前記加入者情報記憶手段から取得した前記広告契約情報にもとづき前記広告情報記憶手段から対応する広告情報を抽出する
ことを特徴とする請求項１７又は１８記載の着信側交換機。
【請求項２０】
前記発信側交換機から前記着信側電話機の電話番号を含む通話確立要求信号を受信すると、前記着信側電話機の電話番号にもとづき前記加入者情報記憶手段を検索して、対応する広告契約情報に着信時の広告表示拒否情報が登録されているかどうかを判定し、登録されている場合は、広告情報記憶手段から対応する広告情報を抽出することなく、広告情報を含まない通話確立要求信号を着信側電話機に送信する
ことを特徴とする請求項１７〜１９のいずれかに記載の着信側交換機。
【請求項２１】
テレビ電話機能を備えた電話機に広告情報を配信するテレビ電話広告システムにおける発信側交換機により実行される発信側交換機用プログラムであって、
前記発信側交換機に、
発信側電話機から着信側電話機の電話番号と発信側電話機の加入者識別情報を含む通話確立要求信号を受信させ、この加入者識別情報にもとづき加入者情報記憶手段を検索させて、対応する広告契約情報を取得させ、この広告契約情報にもとづき広告情報記憶手段から対応する広告情報を抽出させ、前記着信側電話機の電話番号を含む通話確立要求信号を着信側交換機に送信させるとともに、前記着信側交換機から呼び出し開始信号が送信されてくると、前記抽出させた広告情報を前記呼び出し開始信号に含めて前記発信側電話機へ送信させる
ことを実行させるための発信側交換機用プログラム。
【請求項２２】
前記発信側交換機に、
前記発信側電話機の位置情報を取得させて、この位置情報と、前記加入者情報記憶手段から取得させた前記広告契約情報にもとづき前記広告情報記憶手段から対応する広告情報を抽出させる
ことを実行させるための請求項２１記載の発信側交換機用プログラム。
【請求項２３】
テレビ電話機能を備えた電話機に広告情報を配信するテレビ電話広告システムにおける着信側交換機により実行される着信側交換機用プログラムであって、
前記着信側交換機に、
着信側電話機の電話番号を含む通話確立要求信号が発信側電話機から発信側交換機を介して送信されてくると、前記着信側電話機の電話番号にもとづき加入者情報記憶手段を検索させて、対応する広告契約情報を取得させ、この広告契約情報にもとづき広告情報記憶手段から対応する広告情報を抽出させて、この広告情報を通話確立要求信号に含めて着信側電話機に送信させる
ことを実行させるための着信側交換機用プログラム。
【請求項２４】
前記着信側交換機に、
前記発信側交換機から前記着信側電話機の電話番号と発信側電話機の加入者識別情報を含む通話確立要求信号が送信されてきたときに、前記着信側電話機の電話番号に代えて、前記発信側電話機の加入者識別情報にもとづき前記加入者情報記憶手段を検索させて、対応する広告契約情報を取得させ、この広告契約情報にもとづき広告情報記憶手段から対応する広告情報を抽出させて、着信側電話機に送信させる
ことを実行させるための請求項２３記載の着信側交換機用プログラム。
【請求項２５】
前記着信側交換機に、
前記着信側電話機の位置情報を取得させて、この位置情報と、前記加入者情報記憶手段から取得させた前記広告契約情報にもとづき前記広告情報記憶手段から対応する広告情報を抽出させる
ことを実行させるための請求項２３又は２４記載の着信側交換機用プログラム。
【請求項２６】
前記着信側交換機に、
前記発信側交換機から前記着信側電話機の電話番号を含む通話確立要求信号が送信されてきたときに、前記着信側電話機の電話番号にもとづき前記加入者情報記憶手段を検索させて、対応する広告契約情報に着信時の広告表示拒否情報が登録されているかどうかを判定させ、登録されている場合は、広告情報記憶手段から対応する広告情報を抽出させることなく、広告情報を含まない通話確立要求信号を着信側電話機に送信させる
ことを実行させるための請求項２３〜２５のいずれかに記載の着信側交換機用プログラム。
【発明の詳細な説明】
【技術分野】
【０００１】
本発明は、携帯電話機などにおけるテレビ電話機能を利用して、広告の配信を行うテレビ電話広告システム、テレビ電話広告方法、交換機、及び交換機用プログラムに関する。
【背景技術】
【０００２】
近年、携帯電話機の多機能化が進展しており、テレビ電話機能を備えた携帯電話機も普及しつつある。
しかしながら、テレビ電話の通話料金は音声通話の料金と比較して高額であり、十分に使用されるには至っていないのが現状である。
【０００３】
そこで、このような問題を解決すべく、従来から様々な提案が行われている。例えば、特許文献１には、電話の呼び出し中に、テレビ電話の映像表示部を利用して広告情報などを配信し、その表示頻度に応じて通話料金の割引を行う技術が記載されている。
【０００４】
また、特許文献２にも、同様に、テレビ電話の発呼処理中に発信者側のテレビ電話に広告情報などを表示させる技術が記載されている。
さらに、特許文献３には、発信側のみならず、着信側のテレビ電話にも、発信側と同じ広告情報などを、相手側のＴＶ画像と合成して表示させる技術が記載されている。
これらの技術を用いることで、テレビ電話での呼び出し中や通話中に、テレビ画面に広告情報を表示させ、その広告時間などに応じて、通話料金の割引を行うことが可能となっている。
【０００５】
【特許文献１】特開２００２−１６５００８号公報
【特許文献２】特開２００５−０３３４４２号公報
【特許文献３】特開２００６−１２９３９４号公報
【発明の開示】
【発明が解決しようとする課題】
【０００６】
しかしながら、これらの従来技術では、広告情報などをテレビ電話に表示させるために、広告情報をテレビ電話機に送信するための特別の処理が必要であり、既存のテレビ電話発信処理における信号シーケンスに与える影響が大きいという問題があった。
すなわち、このような従来技術によりテレビ電話に広告を表示させる場合は、既存のテレビ電話発信処理の手順を大きく変更しなければならないという問題があった。
【０００７】
一方で、広告配信を行うにあたっては、発信側のみならず、着信側でも独自に広告配信を行えることが好ましく、その配信タイミングは最も効率的であることが望ましい。
さらに、利用者の位置や、そのときの状況に応じた柔軟な広告配信を行うことができれば、広告の利用効果が向上し、利用者の通話料金を低減できることに加え、一層の広告効果を期待することも可能となる。
【０００８】
本発明は、上記の事情にかんがみなされたものであり、既存のテレビ電話発信処理における信号シーケンスに与える影響を最小限にとどめつつ効果的な広告配信を行うことで、テレビ電話の通話料金を低減させ、その利用率の向上を図ることの可能なテレビ電話広告システム、テレビ電話広告方法、交換機、及び交換機用プログラムの提供を目的とする。
【課題を解決するための手段】
【０００９】
上記目的を達成するため、本発明のテレビ電話広告システムは、テレビ電話機能を備えた電話機に広告情報を配信するテレビ電話広告システムであって、加入者識別情報及び広告契約情報を含む加入者情報を格納する加入者情報記憶手段と、広告情報を格納する広告情報記憶手段と、着信側電話機の電話番号と発信側電話機の加入者識別情報を含む通話確立要求信号を発信側交換機に送信する発信側電話機と、発信側電話機の加入者識別情報にもとづき加入者情報記憶手段を検索して、対応する広告契約情報を取得し、この広告契約情報にもとづき広告情報記憶手段から対応する広告情報を抽出し、着信側電話機の電話番号を含む通話確立要求信号を着信側交換機に送信するとともに、着信側交換機から呼び出し開始信号を受信すると、抽出した広告情報を呼び出し開始信号に含めて発信側電話機に送信する発信側交換機と、通話確立要求信号を受信すると、着信側電話機の電話番号にもとづき加入者情報記憶手段を検索して、対応する広告契約情報を取得し、この広告契約情報にもとづき広告情報記憶手段から対応する広告情報を抽出して、この広告情報を通話確立要求信号に含めて着信側電話機に送信する着信側交換機と、広告情報を含む通話確立要求信号を受信すると、呼び出し開始情報を着信側交換機を介して発信側交換機に送信する着信側電話機とを有する構成としてある。
【００１０】
また、本発明のテレビ電話広告方法は、テレビ電話機能を備えた電話機に広告情報を配信するテレビ電話広告方法であって、発信側電話機が、着信側電話機の電話番号と発信側電話機の加入者識別情報を含む通話確立要求信号を発信側交換機に送信し、発信側交換機が、発信側電話機の加入者識別情報にもとづき加入者情報記憶手段を検索して、対応する広告契約情報を取得し、この広告契約情報にもとづき広告情報記憶手段から対応する広告情報を抽出し、着信側電話機の電話番号を含む通話確立要求信号を着信側交換機に送信し、着信側交換機が、通話確立要求信号を受信すると、着信側電話機の電話番号にもとづき加入者情報記憶手段を検索して、対応する広告契約情報を取得し、この広告契約情報にもとづき広告情報記憶手段から対応する広告情報を抽出して、この広告情報を通話確立要求信号に含めて着信側電話機に送信し、着信側電話機が、通話確立要求信号を受信すると、呼び出し開始情報を、着信側交換機を介して発信側交換機に送信し、発信側交換機が、呼び出し開始信号を受信すると、抽出した広告情報を呼び出し開始信号に含めて発信側電話機に送信する方法としてある。
【００１１】
また、本発明の発信側交換機は、テレビ電話機能を備えた電話機に広告情報を配信するテレビ電話広告システムにおける発信側交換機であって、発信側電話機から着信側電話機の電話番号と発信側電話機の加入者識別情報を含む通話確立要求信号を受信し、この加入者識別情報にもとづき加入者情報記憶手段を検索して、対応する広告契約情報を取得し、この広告契約情報にもとづき広告情報記憶手段から対応する広告情報を抽出し、着信側電話機の電話番号を含む通話確立要求信号を着信側交換機に送信するとともに、着信側交換機から呼び出し開始信号を受信すると、抽出した広告情報を呼び出し開始信号に含めて発信側電話機に送信する構成としてある。
【００１２】
また、本発明の着信側交換機は、テレビ電話機能を備えた電話機に広告情報を配信するテレビ電話広告システムにおける着信側交換機であって、着信側電話機の電話番号を含む通話確立要求信号を発信側電話機から発信側交換機を介して受信すると、着信側電話機の電話番号にもとづき加入者情報記憶手段を検索して、対応する広告契約情報を取得し、この広告契約情報にもとづき広告情報記憶手段から対応する広告情報を抽出して、この広告情報を通話確立要求信号に含めて着信側電話機に送信する構成としてある。
【００１３】
また、本発明の発信側交換機用プログラムは、テレビ電話機能を備えた電話機に広告情報を配信するテレビ電話広告システムにおける発信側交換機により実行される発信側交換機用プログラムであって、発信側交換機に、発信側電話機から着信側電話機の電話番号と発信側電話機の加入者識別情報を含む通話確立要求信号を受信させ、この加入者識別情報にもとづき加入者情報記憶手段を検索させて、対応する広告契約情報を取得させ、この広告契約情報にもとづき広告情報記憶手段から対応する広告情報を抽出させ、着信側電話機の電話番号を含む通話確立要求信号を着信側交換機に送信させるとともに、着信側交換機から呼び出し開始信号が送信されてくると、抽出させた広告情報を呼び出し開始信号に含めて発信側電話機へ送信させる構成としてある。
【００１４】
また、本発明の着信側交換機用プログラムは、テレビ電話機能を備えた電話機に広告情報を配信するテレビ電話広告システムにおける着信側交換機により実行される着信側交換機用プログラムであって、着信側交換機に、着信側電話機の電話番号を含む通話確立要求信号が発信側電話機から発信側交換機を介して送信されてくると、着信側電話機の電話番号にもとづき加入者情報記憶手段を検索させて、対応する広告契約情報を取得させ、この広告契約情報にもとづき広告情報記憶手段から対応する広告情報を抽出させて、この広告情報を通話確立要求信号に含めて着信側電話機に送信させる構成としてある。
【発明の効果】
【００１５】
本発明によれば、既存のテレビ電話発信処理における信号シーケンスを利用して、広告配信を効率的なタイミングで行うことができ、発信側及び着信側の条件に応じた柔軟な広告情報の配信を行うことが可能である。
【発明を実施するための最良の形態】
【００１６】
はじめに、本発明の概要について説明する。
本発明は、携帯電話の利用者が、広告提供企業と広告受信契約を締結し、テレビ電話の使用時に発信側と着信側双方の携帯電話の画面上に文字広告を表示させ、その対価として通話料金の一部を広告提供企業が負担することで、携帯電話の利用者の負担額の軽減を実現するものである。
【００１７】
すなわち、広告契約を希望する携帯電話の利用者は、携帯電話のブラウザ機能を利用して、広告の提供を希望する企業とスポンサー契約を結ぶ。利用者がテレビ電話を使用すると、テレビ電話画面端に文字広告がスクロール表示される。広告提供企業は広告費として、広告受信契約を締結した利用者の携帯電話使用料金の一部を負担する。負担金額は、広告表示時間、すなわちテレビ電話の通話時間にもとづき算出することができる。勿論、携帯電話事業者によるテレビ電話広告システムの運用に応じて、広告提供企業の負担金額を一定額や一定割合とすることも可能である。
【００１８】
以下、本発明に係るテレビ電話広告システムの好ましい実施形態について、図面を参照しつつ説明する。
なお、以下の実施形態に示す本発明のテレビ電話広告システムは、プログラムに制御されたコンピュータにより動作するようになっている。コンピュータのＣＰＵは、プログラムにもとづいてコンピュータの各構成要素に指令を送り、交換機等の動作に必要となる所定の処理、例えば、広告契約確認処理、配信広告決定処理、広告表示拒否確認処理等を行わせる。このように、本発明のテレビ電話広告システムにおける各処理，動作は、プログラムとコンピュータとが協働した具体的手段により実現できるものである。
【００１９】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００２０】
まず、本発明の一実施形態の構成について、図１を参照して説明する。同図は、本実施形態のテレビ電話広告システムの構成を示すブロック図である。
図１に示すように、本実施形態のテレビ電話広告システムは、発信側携帯電話１０、着信側携帯電話１１、コアネットワーク２０、加入者データベース２１、発信側交換機２２、着信側交換機２３、広告データベース３０、広告制御システム４０、及び広告提供企業端末５０を有している。
【００２１】
発信側携帯電話１０は、発信側の利用者が使用する携帯電話機であり、着信側携帯電話１１は、着信側の利用者が使用する携帯電話機である。これらとしては、既存の一般的なテレビ電話機能を備えた携帯電話機を使用することができる。なお、これらの携帯電話として、テレビ電話機能を備えたＰＨＳやモバイルコンピュータなどを用いることも可能である。
【００２２】
コアネットワーク２０とは、携帯電話事業者におけるテレビ電話システムにおける基本ネットワークであり、その内部に加入者データベース２１と、発信側交換機２２及び着信側交換機２３を備えている。なお、図１では交換機として２台のみを示しているが、３台以上の交換機により構成することも可能である。
【００２３】
加入者データベース２１は、携帯電話事業者により提供される携帯電話サービスの加入者に関する情報を蓄積する。この情報としては、例えば電話番号などの加入者識別情報，加入者名，加入者の住所などの加入者の個人情報や、累積通話料金などの他、広告契約の有無，広告契約の形態、広告配信条件、広告提供企業などの広告契約に関する情報、着信時の広告表示拒否情報、累積広告表示時間等を格納する。
【００２４】
発信側交換機２２は、発信側の交換局における交換機であり、発信側携帯電話１０から着信側携帯電話１１宛のデータを受信して、これを着信側交換機２３へ送信する。また、着信側交換機２３から発信側携帯電話１０宛のデータを受信して、これを発信側携帯電話１０へ送信する。
また、これらの交換機は、加入者データベース２１にアクセスして携帯電話に対応する広告契約情報を確認するとともに、広告制御システム４０により、配信広告の決定や、広告データベース３０からの広告情報の取得、携帯電話への配信等の処理を実行する。
【００２５】
広告データベース３０は、文字広告データなどの広告情報を蓄積する記憶装置である。この広告情報は、広告提供企業端末５０により広告制御システム４０に送信され、広告制御システム４０により広告データベース３０に登録することができる。本実施形態のテレビ電話広告システムにおいて、広告提供企業端末５０を二以上保有させることも勿論可能である。
【００２６】
広告情報としては、常時配信可能な広告（以下、一般広告と称する）のほか、地域や時間を限定して配信する広告（以下、条件付広告と称する）がある。これらは、広告データベース３０にそれぞれ複数登録することが可能である。
複数の広告を登録する場合は、配信の優先順位も合わせて登録する。なお、配信条件を満たす条件付広告がない場合のために、広告提供企業端末５０は少なくとも一の一般広告を登録することが好ましい。
【００２７】
広告制御システム４０は、広告提供企業端末５０から送信されてきた広告情報を広告データベース３０に登録する処理を行う。
また、広告制御システム４０は、広告提供企業と携帯電話加入者との広告配信契約処理を扱う。具体的には、広告制御システム４０は、広告契約の有無，広告契約の形態などの広告契約に関する情報を加入者データベース２１に格納する。
さらに、着信時の広告表示拒否情報、累積広告表示時間等も加入者データベース２１に格納することができる。
【００２８】
広告提供企業端末５０は、インターネットなどの通信回線を介して、広告制御システム４０にアクセスし、この広告制御システム４０により広告データベース３０に対して、広告の登録や削除、広告内容の更新、配信条件の変更などを行う。
【００２９】
次に、本実施形態のテレビ電話広告システムにおける広告契約時の処理手順について、図２を参照して説明する。
同図は、本実施形態のテレビ電話広告システムにおける広告契約時の処理手順を示すフローチャートである。
【００３０】
まず、広告契約を希望する利用者の操作により、発信側携帯電話１０は、コアネットワーク２０を介して広告制御システム４０にアクセスし、広告契約形態を選択するための画面を表示する。
そして、発信側携帯電話１０は、利用者の操作により、広告契約形態を選択する（ステップＳ１０１）。本実施形態の広告契約形態には、図２に示すように、「条件指定」、「企業指定」、「指定なし」の３種類がある。
【００３１】
広告契約形態として「条件指定」が選択された場合、発信側携帯電話１０は、指定可能な広告配信条件のリストを取得し（ステップＳ１０２）、業種などの配信条件を選択する（ステップＳ１０３）。
広告契約形態として「企業指定」が選択された場合、発信側携帯電話１０は、広告契約可能な企業のリストを取得し（ステップＳ１０４）、契約する企業を選択する（ステップＳ１０５）。
【００３２】
このとき、広告制御システム４０は、予めコアネットワーク２０において登録されている広告配信条件リストや、契約可能企業リストを用いて上記の処理を実行する。また、ステップＳ１０２、Ｓ１０４において、広告制御システム４０が広告データベース３０からそれぞれ広告配信条件、広告提供企業の情報を抽出して、各々のリストを作成することもできる。
【００３３】
ステップＳ１０３、ステップＳ１０５において選択処理が完了し、又はステップＳ１０１で「指定なし」が選択されると、これらの選択情報は発信側携帯電話１０からコアネットワーク２０を介して広告制御システム４０へ送信され、広告契約処理が完了して、加入者データベース２１内の加入者情報に当該広告契約情報が保存される。
【００３４】
なお、広告制御システム４０は、着信側携帯電話１１についても、上述の発信側携帯電話１０と同様に広告契約処理を行うことができる。
また、着信側携帯電話１１への広告の表示については、発信側携帯電話１０の利用者及び着信側携帯電話１１の利用者が広告配信契約をしている場合にのみ行うようにすることができる。
【００３５】
さらに、発信側携帯電話１０の利用者のみが広告配信契約している場合に、発信側携帯電話１０及び着信側携帯電話１１に広告を表示させることもできる。
勿論、発信側携帯電話１０の利用者のみが広告配信契約している場合に、発信側携帯電話１０にのみ広告を表示させることも可能である。
また、着信側携帯電話１１の利用者のみが広告配信契約している場合に、着信側携帯電話１１にのみ広告を表示させ、かつ、発信側携帯電話１０の利用料金について、広告提供企業が広告表示に対応する料金を負担することも可能である。
【００３６】
次に、図３を参照して、通話開始時及び通話中における各装置間の信号の流れについて説明する。同図は、本実施形態のテレビ電話広告システムにおける通話開始時及び通話中の信号シーケンス図である。
まず、発信側携帯電話１０から着信側携帯電話１１に対し、テレビ電話の発呼が行われる（ステップＳ２０１）。同図において、「ＳＥＴＵＰ」は、通話確立要求信号を示している。この通話確立要求信号には、着信側携帯電話１１の電話番号のほか、例えば発信側携帯電話１０の電話番号等などの発信側携帯電話１０の利用者を識別可能な情報（加入者識別情報）が含まれる。
【００３７】
発信側交換機２２は、発信側携帯電話１０から通話確立要求信号を受信すると、加入者識別情報にもとづき加入者データベース２１を参照し、当該発信側携帯電話１０に対応する広告契約情報を取得する（ステップＳ２０２）。
そして、取得した広告契約情報に、広告契約有りを示す広告契約情報が登録されている場合、発信側交換機２２は、この広告契約情報を含む通話確立要求信号を着信側交換局２３に送信する（ステップＳ２０３）。
【００３８】
また、これと同時に、発信側交換機２２は、広告制御システム４０により広告データベース３０から発信側携帯電話１０に配信する広告情報を取得する（ステップＳ２０４）。このとき、広告制御システム４０は、発信側携帯電話１０の利用者に応じた広告情報を広告データベース３０から取得する。この広告情報の取得方法については、図５を用いて後述する。
【００３９】
着信側交換局２３は、通話確立要求信号（Ｓ２０３のＳＥＴＵＰ）を受信すると、着信側携帯電話１１の電話番号等にもとづき加入者データベース２１を参照し、着信側携帯電話１１についての「着信時の広告表示拒否情報」が登録されていないかを確認する（ステップＳ２０５）。
【００４０】
そして、加入者データベース２１に、着信側携帯電話１１に対応する「着信時の広告表示拒否情報」が登録されていない場合、着信側交換機２３は、広告制御システム４０により広告データベース３０から着信側携帯電話１１に配信するための広告情報を取得する（ステップＳ２０６）。
【００４１】
このとき、広告制御システム４０は、着信側携帯電話１１の電話番号に対応する加入者情報にもとづき加入者データベース２１を参照し、対応する広告契約に関する情報にもとづき広告データベース３０から広告情報を取得して、着信側携帯電話１１に配信することができる。
【００４２】
また、広告制御システム４０は、発信側携帯電話１０の電話番号に対応する加入者情報にもとづき加入者データベース２１を参照し、対応する広告契約に関する情報にもとづき広告データベース３０から広告情報を取得して、着信側携帯電話１１に配信することもできる。
このようにすれば、発信側携帯電話１０に提供する広告情報と同一の広告情報を着信側携帯電話１１に提供することが可能となる。
【００４３】
さらに、広告制御システム４０は、携帯電話の位置情報を考慮して、配信条件を満たす広告情報を決定することもできる。例えば、発信側携帯電話１０がＧＰＳ（Global  Positioning  System）機能を備え、ステップＳ２０１の通話確立要求信号の送信の際に、当該携帯電話の位置情報を取得して、これを合わせて発信側交換機２２に送信することができる。
これにより、発信側交換機２２は、広告制御システム４０により発信側携帯電話１０の位置情報を用いて、配信条件に合致する広告情報を決定することができる。
【００４４】
また、広告制御システム４０は、携帯電話機にＧＰＳ機能が備えられていない場合でも、数百ｍ〜１万ｍ程度の大まかな範囲の位置情報であれば、セルベース測位方式などにより、取得することが可能である。
本実施形態において、この大まかな位置情報を用いて、配信条件に合致する広告情報を決定することも好ましい。
【００４５】
この方法によれば、図３のステップＳ２０４において広告制御システム４０は、発信側交換機２２において特定された発信側携帯電話１０の位置情報を受信し、又は、発信側交換機２２からセル情報を受信して発信側携帯電話１０の位置情報を算出し、この位置情報を用いて発信側に配信する広告を決定することができる。
【００４６】
また、図３のステップＳ２０６において広告制御システム４０は、着信側交換機２３において特定された着信側携帯電話１１の位置情報を受信し、又は、着信側交換機２３からセル情報を受信して着信側携帯電話１１の位置情報を算出し、この位置情報を用いて着信側に配信する広告を決定することができる。
【００４７】
これにより、発信側携帯電話１０及び着信側携帯電話１１の双方の位置関係を考慮して、それぞれの中間にある店舗の広告情報を提供するなど、よりきめ細かな条件により広告配信を行うことが可能となる。
また、発信側携帯電話１０又は着信側携帯電話１１のいずれか一方のみについて、位置情報を取得し、これを用いて配信する広告を決定する構成とすることも勿論可能である。
【００４８】
なお、加入者データベース２１に、着信側携帯電話１１に対応する「着信時の広告表示拒否情報」が登録されている場合は、着信側交換機２３は、広告情報を取得することなく、着信側携帯電話１１に対して通話確立要求信号を送信する。
【００４９】
着信側交換機２３は、広告情報を取得すると、この広告情報を含む通話確立要求信号を着信側携帯電話１１に送信することにより、着信側携帯電話１１を呼び出し、同時に取得した広告情報を着信側携帯電話１１に配信する（ステップＳ２０７）。これにより、着信側携帯電話１１において、呼び出し中に広告を表示することができる。
【００５０】
このとき、例えば着信側携帯電話１１の表面に設けられたサブディスプレイに広告を表示することができる。勿論、着信側携帯電話１１のメインディスプレイに広告を表示して、利用者が通話ボタンを押下するまで視聴可能にすることもできる。
【００５１】
また、着信側交換機２３は、着信側携帯電話１１から呼び出し開始信号を受信して、呼び出しの開始を確認すると（ステップＳ２０８）、この呼び出し開始信号を発信側交換機２２に送信する（ステップＳ２０９）。このとき、着信側携帯電話１１に配信する広告情報を呼び出し開始信号に含めて発信側交換機２２に送信することもできる。
【００５２】
次に、発信側交換機２２は、ステップＳ２０４で取得した広告情報を発信側携帯電話１０に配信する。これにより、発信側携帯電話１０において、広告を表示することができる。また、発信側携帯電話１０において、着信側携帯電話１１に配信している広告を表示することもできる。
これにより、着信側携帯電話１１の呼び出しを適切に行えた場合に、発信側携帯電話１０に広告を表示させることが可能となる。
【００５３】
次に、着信側携帯電話１１の利用者が着信に応答する操作をすると、着信側携帯電話１１は、通話開始信号を、着信側交換機２３と発信側交換機２２を介して発信側携帯電話１０に送信する（ステップＳ２１０）。
これに対して、発信側携帯電話１０は、通話開始信号に対する応答信号を、発信側交換機２２と着信側交換機２３を介して着信側携帯電話１１に送信する（ステップＳ２１１）。
【００５４】
これにより、テレビ電話が通話中となるとともに、広告の表示が行われる（ステップＳ２１２）。
なお、上記の通り、ステップＳ２０７により着信側携帯電話１１において広告の表示を行うことができ、ステップＳ２０９により発信側携帯電話１０において広告の表示を行うことができるが、ステップ２１１により通話が確立してから、それぞれの携帯電話において広告の表示を開始することも勿論可能である。
図４は、このようにして携帯電話に表示された文字広告の例を示している。同図において、広告は、テレビ電話通話中に、画面の端にスクロール表示されている。
【００５５】
次に、発信側携帯電話１０において、通話終了の操作が行われると、通話終了信号が発信側交換機２２と着信側交換機２３を介して着信側携帯電話１１に送信され、通話終了信号に対する応答信号が着信側携帯電話１１から着信側交換機２３と発信側交換機２２を介して発信側携帯電話１０に送信される。
発信側交換機２２は、着信側携帯電話１１からの通話終了信号に対する応答信号を受信すると、加入者データベース２１に広告表示時間を記録する。
【００５６】
このとき、発信側交換機２２は、ステップＳ２１１により通話が確立してから、それぞれの携帯電話において広告の表示を開始する場合には、通話時間を広告表示時間として、加入者データベース２１に記録することができる。
また、ステップＳ２０７により着信側携帯電話１１において広告の表示を開始すると共に、ステップＳ２０９により発信側携帯電話１０において広告の表示を開始する場合には、それぞれの広告表示時間を個別に加入者データベース２１に記録することもできる。このようにすれば、通話開始前から携帯電話に広告を表示させる場合に、その表示時間を詳細に管理することが可能となる。
【００５７】
このとき、ステップＳ２０８において、着信側携帯電話１１は呼び出し開始信号に広告表示開始時刻を付加して発信側交換機２２へ送信し、発信側交換機２２は、この広告表示開始時刻と通話終了時刻とから着信側携帯電話１１における広告表示時間を算出することができる。
【００５８】
また、発信側交換機２２は、ステップＳ２０９における発信側携帯電話１０への広告配信時刻と通話終了時刻とから発信側携帯電話１０における広告表示時間を算出することができる。
このようにして算出された広告表示時間を累計することにより、携帯電話事業者は、広告費として広告提供企業が負担する金額を算出することが可能となる。
【００５９】
次に、図５及び図６を参照して、本実施形態の広告制御システム４０による配信広告の決定処理手順について説明する。図５は本実施形態のテレビ電話広告システムにおける広告選択時の処理手順を示すフローチャートである。図６は同システムにおける広告リストの例を示す図である。
【００６０】
この広告制御システム４０による配信広告の決定処理は、図３のステップＳ２０４及びステップＳ２０６において行われる。
まず、広告制御システム４０は、発信側交換機２２又は着信側交換機２３から電話番号などの加入者識別情報を含む広告取得要求を受信すると、この加入者識別情報にもとづき加入者データベース２１を検索して対応する携帯電話の加入者情報を取得し、広告提供企業を決定する（ステップＳ３０１）。
【００６１】
このとき、取得した加入者情報における「広告契約形態」が「企業指定」であれば、広告制御システム４０は、当該加入者情報における「広告提供企業」にもとづき広告提供企業を決定することができる。
また、「広告契約形態」が「条件指定」もしくは「指定なし」の場合、広告制御システム４０は、広告データベース３０に登録されている選択候補となる企業の中からランダムに１つの企業を選択することができる。
【００６２】
次に、広告制御システム４０は、決定した広告提供企業に対応する広告リストを、広告データベース３０から取得し（ステップＳ３０２）、広告リストのうち最も優先順位が高い広告情報（図６ではリスト先頭）を参照する（ステップＳ３０３）。
また、広告制御システム４０は、この取得した広告情報に配信条件が含まれるか否かを確認し（ステップＳ３０４）、含まれる場合には、加入者情報や現在時刻が配信条件を満たすか否かを判定する（ステップＳ３０５）。
【００６３】
そして、加入者情報等が配信条件を満たさない場合、広告制御システム４０は、広告リストにおける次候補の広告を参照して（ステップＳ３０６）、ステップＳ３０４、Ｓ３０５の判定を繰り返す。
配信条件のない広告情報（一般広告）又は配信条件を満たす広告情報（条件付広告）が検出された場合、広告制御システム４０は、当該広告情報を配信広告として決定する（ステップＳ３０７）。
なお、発信側携帯電話１０と着信側携帯電話１１とでは、加入者情報等が異なるため、異なる広告が配信される場合がある。
【００６４】
以上説明したように、本実施形態のテレビ電話広告システムによれば、着信先において呼び出しを開始した時点で発信元及び／又は着信先に文字広告情報を提供することができる。また、既存のテレビ電話発信処理における信号シーケンスを大きく変更することなく、現在すでに使用している信号を、広告情報等を載せられるように拡張することで、容易に実現することが可能である。
【００６５】
また、広告情報が通話開始直前に取得される構成であるため、通話開始時点での最新の広告内容の配信することが可能である。例えば、在庫情報などの広告にはリアルタイムな情報が要求されるが、本実施形態によれば、企業側が広告内容をこまめに更新することで、正確な内容の広告を配信することが可能である。
また、カラオケや居酒屋などの広告の場合において、位置情報と関連付けて、最寄りの店舗の空席情報を配信することなども可能である。
【００６６】
さらに、本実施形態によれば、発信側が契約している企業の広告を着信側にも提供することができる。
このため、着信メロディや呼び出し音などを広告媒体にしたシステムに比較して、より多くの利用者に対する広告閲覧を実現でき、広範囲に及ぶ広告効果を期待することが可能となる。
【００６７】
また、本実施形態によれば、広告データベース３０に配信条件を設定することができるため、位置情報や現在時刻に対応する広告情報の選択が可能である。
例えば、「○○電気××駅前店に新商品△△の在庫有り」「○○商店××町店、１７時からタイムセール実施」などの、タイムリーな広告や局地的な広告を配信することが可能である。
【００６８】
また、広告選択の際に加入者情報を参照できるため、例えば自動車メーカーの場合、２０〜３０代の契約者にはスポーツカーの広告、４０〜５０代の契約者には高級車の広告のように広告の配信先によって内容を変えることも可能である。
【００６９】
本発明は、以上の実施形態に限定されるものではなく、本発明の範囲内において、種々の変更実施が可能であることは言うまでもない。
例えば、携帯電話ではなく、固定型のテレビ電話機に対する広告情報の配信に適用することが可能である。
【００７０】
また、交換機に代えてメールサーバを使用することにより、広告情報をテレビ電話画面上に付加するのではなく、携帯メールの末尾等に広告情報を付加する構成とすることも可能である。
さらに、テレビ電話において広告情報を表示させるのみならず、その携帯電話のメールアドレスに広告提供企業のクーポンや景品等を送信する構成とするなど適宜変更することが可能である。
【産業上の利用可能性】
【００７１】
本発明は、既存の携帯電話のテレビ電話発信処理における信号シークエンスをできるだけ変更することなく、テレビ電話での広告配信を実現する場合に、好適に利用することが可能である。
【図面の簡単な説明】
【００７２】
【図１】本発明の一実施形態のテレビ電話広告システムの構成を示すブロック図である。
【図２】本発明の一実施形態のテレビ電話広告システムにおける広告契約時の処理手順を示すフローチャートである。
【図３】本発明の一実施形態のテレビ電話広告システムにおける通話開始時及び通話中の信号シーケンス図である。
【図４】本発明の一実施形態のテレビ電話広告システムにおけるテレビ電話中の広告イメージを示す図である。
【図５】本発明の一実施形態のテレビ電話広告システムにおける広告選択時の処理手順を示すフローチャートである。
【図６】本発明の一実施形態のテレビ電話広告システムにおける広告リストの例を示す図である。
【符号の説明】
【００７３】
１０  発信側携帯電話
１１  着信側携帯電話
２０  コアネットワーク
２１  加入者データベース
２２  交換機（発信側）
２３  交換機（着信側）
３０  広告データベース
４０  広告制御システム
５０  広告提供企業端末
【図１】
2009212558.tif 000003
【図２】
2009212558.tif 000004
【図３】
2009212558.tif 000005
【図４】
2009212558.tif 000006
【図５】
2009212558.tif 000007
【図６】
2009212558.tif 000008